【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】  駆動電流およびアドレス信号に応答してインクを与えるための複数の液滴発生器を有するインクジェットプリントヘッドにおいて、
前記プリントヘッドに配置されて液滴発生器のグループをともに形成する第１の液滴発生器および第２の液滴発生器からなる複数のサブグループであって、前記液滴発生器のグループの各液滴発生器は駆動電流源に接続するように構成され、各サブグループ内において、前記第１の液滴発生器および前記第２の液滴発生器は、共通のアドレス信号源からアドレス信号を受信するように構成され、前記第１の液滴発生器および前記第２の液滴発生器からなる各サブグループは、異なるアドレス信号源に接続するように構成される、第１の液滴発生器および第２の液滴発生器からなる複数のサブグループと、
前記共通のアドレス信号源とサブグループの前記第１の液滴発生器および前記第２の液滴発生器それぞれとの間に接続された第１のスイッチングデバイスであって、イネーブル信号に応答して、前記サブグループの前記第１の液滴発生器および前記第２の液滴発生器の１つのみに前記アドレス信号を選択的に供給する、第１のスイッチングデバイス
を備える、インクジェットプリントヘッド。
【請求項２】  前記第１の液滴発生器および前記第２の液滴発生器のそれぞれは、選択的にインクを加熱して前記プリントヘッドからインクを噴出させるための加熱デバイスを有する、請求項１に記載のインクジェットプリントヘッド。
【請求項３】  前記第１の液滴発生器および前記第２の液滴発生器のそれぞれは、前記駆動電流源に結合された一対の駆動電流コンダクタの間の電流経路において接続される第２のスイッチングデバイスを有し、該第２のスイッチングデバイスは、駆動電流を選択的に流すことができるようにするためのアドレス信号に応答する、請求項１または２に記載のインクジェットプリントヘッド。
【請求項４】  各サブグループ内において、前記第１の液滴発生器は、前記駆動電流源に結合された一対の駆動電流コンダクタの間に接続される第２のスイッチングデバイスを有し、該第２のスイッチングデバイスは、前記第１の液滴発生器を選択的に作動させるためのアドレスアクティブ信号に応答し、前記第２の液滴発生器は、前記一対の駆動電流コンダクタの間に接続される第３のスイッチングデバイスを有し、該第３のスイッチングデバイスは、前記第２の液滴発生器を選択的に作動させるためのアドレスアクティブ信号に応答することからなる、請求項１に記載のインクジェットプリントヘッド。
【請求項５】  前記第１のスイッチングデバイスは、第４のスイッチングデバイスおよび第５のスイッチングデバイスを含み、該第４のスイッチングデバイスは、前記アドレス信号源と前記第２のスイッチングデバイスとの間に接続され、前記第５のスイッチングデバイスは、前記アドレス信号源と前記第３のスイッチングデバイスとの間に接続され、前記第４のスイッチングデバイスは、前記第２のスイッチングデバイスにアドレス信号を選択的に供給するためのイネーブル信号に応答し、前記第５のスイッチングデバイスは、前記第３のスイッチングデバイスにアドレス信号を選択的に供給するためのイネーブル信号に応答する、請求項４に記載のインクジェットプリントヘッド。
【請求項６】  前記プリントヘッドは、液滴発生器の複数のグループを含み、液滴発生器の該複数のグループの液滴発生器の各グループは、異なる駆動電流源に接続するように構成される、請求項１に記載のインクジェットプリントヘッド。
【請求項７】  媒体上にインクを選択的に堆積するインクジェット印刷システムにおいて使用するためのインクジェットプリントヘッドであって、
一対の駆動電流コンダクタの間の第１の加熱素子に直列に接続される一対の被制御端子と制御端子とを有する第１のスイッチングデバイスであって、前記制御端子における作動信号に応答して、前記被制御端子間に電流を流すことにより前記第１の加熱素子を作動させる、第１のスイッチングデバイスと、
アドレス端子と前記第１のスイッチングデバイスの制御端子との間に接続された一対の非制御端子と、イネーブル信号源との接続用に構成された制御端子とを有する第２のスイッチングデバイスであって、イネーブル信号に応答して、前記アドレス端子におけるアドレス信号を、前記第１のスイッチングデバイスの制御端子に選択的に供給できるようにする、第２のスイッチングデバイス
を備えるインクジェットプリントヘッド。
【請求項８】  前記第１のスイッチングデバイスの前記制御端子と前記一対の駆動電流コンダクタの一方との間に接続された一対の被制御端子と、第２のイネーブル信号源との接続用に構成された制御端子とを有する第３のスイッチングデバイスであって、第２のイネーブル信号に応答して、前記第１のスイッチングデバイスの前記制御端子と、前記一対の駆動電流コンダクタの一方との間に選択的に電流を流すための第３のスイッチングデバイスをさらに含む、請求項７に記載のインクジェットプリントヘッド。
【請求項９】  前記一対の駆動電流コンダクタの間の第２の加熱素子に直列に接続される一対の被制御端子と制御端子を有する第３のスイッチングデバイスであって、前記制御端子における作動信号に応答して、前記被制御端子間に電流を流すことにより前記第２の加熱素子を作動させる、第３のスイッチングデバイスと、
前記アドレス端子と前記第３のスイッチングデバイスの制御端子との間に接続された一対の被制御端子と、前記イネーブル信号源との接続用に構成された制御端子とを有する第４のスイッチングデバイスであって、イネーブル信号に応答して、前記アドレス端子におけるアドレス信号を前記第３のスイッチングデバイスの前記制御端子に選択的に供給して、前記第３のスイッチングデバイスを作動させることができるようにする第４のスイッチングデバイス
とをさらに含み、
前記第２のスイッチングデバイスおよび前記第４のスイッチングデバイスは、前記第１のスイッチングデバイスおよび第３のスイッチングデバイスの１つのみを同時に作動させるように構成される、請求項７に記載のインクジェットプリントヘッド。
【請求項１０】
前記プリントヘッドが、複数の第１のスイッチングデバイスおよび第２のスイッチングデバイスと、複数の対の駆動電流信号と、複数のアドレス端子を有し、前記複数の第１のスイッチングデバイスおよび第２のスイッチングデバイスのそれぞれは、前記複数の対の駆動電流信号の異なる対の駆動電流信号に接続され、前記複数の第１のスイッチングデバイスおよび第２のスイッチングデバイスのそれぞれは、前記複数のアドレス端子の異なるアドレス端子に接続される、請求項９に記載のインクジェットプリントヘッド。
【請求項１１】  媒体上にインクを堆積するインクジェット印刷システムで使用するためのインクジェットプリントヘッドであって、
ぞれぞれが駆動電流源と接続するように構成された複数の駆動電流接点と、
それぞれがアドレス信号源と接続するように構成された複数のアドレス接点と、
それぞれがイネーブル信号源と接続するように構成された複数のイネーブル接点と、
グループをなすように配置された複数の液滴発生器であって、各グループは前記複数の駆動電流接点の１つに電気的に接続され、該複数の駆動電流接点のそれぞれは異なる駆動電流源に接続され、液滴発生器のグループのそれぞれは対をなすように配置された個別の液滴発生器を有し、各対は前記複数のアドレス接点の１つに電気的に接続され、各グループの前記液滴発生器の対のそれぞれは異なるアドレス接点に接続されることからなる、複数の液滴発生器
とを備え、
各液滴発生器は、駆動電流が前記駆動電流接点に供給されて、前記液滴発生器に対応する前記アドレス接点がアクティブである場合に作動し、前記液滴発生器の対に関連付けられた１つの液滴発生器のみがアクティブであり、該アクティブな液滴発生器は、前記イネーブル信号に基づいて選択されることからなる、インクジェットプリントヘッド。
【請求項１２】  媒体上にインクを付着させるインクジェット印刷システムにおいて使用するためのインクジェットプリントヘッドであって、
それぞれが駆動電流源と接続するように構成された複数の駆動電流接点と、
それぞれがアドレス信号源と接続するように構成された複数のアドレス接点と、
それぞれがイネーブル信号源と接続するように構成された複数のイネーブル接点と、
インクを噴出するための複数の液滴発生器であって、該複数の液滴発生器は、同時に作動させることが可能な複数の液滴発生器のグループに分割され、該複数のグループは前記複数の駆動電流接点と等しく、該複数のグループのそれぞれのサイズは、前記複数のアドレス接点に前記複数のイネーブル接点を乗算したものに等しいことからなる、複数の液滴発生器
を備える、インクジェットプリントヘッド。
【請求項１３】  前記複数のアドレス接点は１３個であり、前記複数の駆動電流接点は１６個であり、前記複数のイネーブル接点は２個であり、１６個の液滴発生器が同時に作動することが可能である、請求項１１または１２に記載のインクジェットプリントヘッド。
【請求項１４】  前記複数のアドレス接点と前記複数のイネーブル接点との比が、約６．５：１である、請求項１１または１２に記載のインクジェットプリントヘッド。
【請求項１５】  前記複数のアドレス接点はＡ個のアドレス接点を含み、前記複数のイネーブル接点はＥ個のイネーブル接点を含み、前記複数の駆動電流接点はＤ個の駆動電流接点を含み、前記複数の液滴発生器は（Ａ×Ｅ×Ｄ）個の液滴発生器を含む、請求項１１または１２に記載のインクジェットプリントヘッド。